【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
メディアアセットを効率的にダウンロードするための方法であって、
メディアアセットのユーザ選択を受信することと、
ネットワークの将来の非可用性を判定することと、
前記ユーザ選択を受信することに基づいて、サーバから、前記メディアアセットと関連付けられる第１のバージョン識別子および前記メディアアセットと関連付けられる第２のバージョン識別子を受信することであって、前記第１のバージョン識別子は、前記サーバ上に記憶された前記メディアアセットの第１のバージョンと関連付けられ、前記第２のバージョン識別子は、前記サーバ上に記憶された前記メディアアセットの第２のバージョンと関連付けられる、ことと、
前記第１のバージョン識別子および前記第２のバージョン識別子を受信することに応答して、前記メディアアセットを第１のセグメントおよび第２のセグメントに分割することと、
前記サーバに、
前記メディアアセットの前記第１のセグメントを備える、前記第１のバージョン識別子と関連付けられる前記メディアアセットの前記第１のバージョンの第１の部分と、
前記メディアアセットの前記第２のセグメントを備える、前記第２のバージョン識別子と関連付けられる前記メディアアセットの前記第２のバージョンの第２の部分と
の要求を伝送することと、
前記ネットワークの前記判定された将来の非可用性に先立って、前記サーバから、前記メディアアセットの前記第１のバージョンの前記第１の部分および前記メディアアセットの前記第２のバージョンの前記第２の部分を受信することと
を含む、方法。
【請求項２】
前記将来の非可用性を判定することは、カレンダ、場所、および挙動パターンのうちの少なくとも１つを備えるユーザプロファイルを読み出すことをさらに含む、請求項１に記載の方法。
【請求項３】
前記メディアアセットの前記第１のバージョンの前記第１の部分を前記メディアアセットの前記第２のバージョンの第３の部分と置換することをさらに含む、請求項１に記載の方法。
【請求項４】
前記第１のセグメントの第１のサイズおよび前記第２のセグメントの第２のサイズは、前記ネットワークの前記将来の非可用性に基づく、請求項１に記載の方法。
【請求項５】
前記分割することは、前記ネットワークの前記将来の非可用性および前記ネットワークの前記将来の非可用性まで残っている時間に基づく、請求項１に記載の方法。
【請求項６】
前記ユーザ選択は、第１のユーザ選択であり、前記メディアアセットは、第１のメディアアセットであり、
ユーザデバイスにおいて、第２のメディアアセットの第２のユーザ選択を受信することと、
前記ユーザデバイスの識別子に基づいて、前記第１のメディアアセットおよび前記第２のメディアアセットのダウンロード順序を判定することと
をさらに含む、請求項１に記載の方法。
【請求項７】
前記メディアアセットの前記第１のバージョンの前記第１の部分および前記メディアアセットの前記第２のバージョンの前記第２の部分と関連付けられるアイコンを表示のために生成することをさらに含む、請求項１に記載の方法。
【請求項８】
前記ユーザ選択は、第１のユーザ選択であり、ダウンロード時間、前記メディアアセットの前記第１のバージョンと関連付けられる割合、および前記メディアアセットの所望のバージョンのうちの少なくとも１つの第２のユーザ選択を受信することをさらに含む、請求項１に記載の方法。
【請求項９】
メディアアセットを効率的にダウンロードするためのシステムであって、前記システムは、請求項１〜８のいずれかに記載の方法を実行するように構成される制御回路を備える、システム。
【請求項１０】
メディアアセットを効率的にダウンロードするための、その上に符号化される非一過性のコンピュータ可読命令を有する非一過性のコンピュータ可読媒体であって、前記非一過性のコンピュータ可読命令は、制御回路によって実行されると、請求項１〜８のいずれかに記載の方法を前記制御回路に行わせる、非一過性のコンピュータ可読媒体。
【手続補正２】
【補正対象書類名】明細書
【補正対象項目名】０００７
【補正方法】変更
【補正の内容】
【０００７】
本方法は、ネットワークの判定された将来の非可用性に先立って、サーバから、メディアアセットの第１のバージョンの第１の部分およびメディアアセットの第２のバージョンの第２の部分を受信するステップを含んでもよい。例えば、メディアガイドアプリケーションは、ＳＤ品質で「映画Ａ」の第１の半分およびＨＤ品質で「映画Ａ」の第２の半分を受信してもよい。メディアガイドアプリケーションは、「映画Ａ」がいずれのバージョンでどの程度ダウンロードされたかを示す番組一覧ページ上のアイコンを表示するために生成してもよい。メディアガイドアプリケーションはまた、以降の時間に「映画Ａ」のＳＤ部分を「映画Ａ」のＨＤ部分と置換してもよい。
本発明は、例えば、以下を提供する。
（項目１）
メディアアセットを効率的にダウンロードするための方法であって、
メディアアセットのユーザ選択を受信するステップと、
ネットワークの将来の非可用性を判定するステップと、
前記ユーザ選択を受信するステップに基づいて、サーバから、前記メディアアセットと関連付けられる第１のバージョン識別子および前記メディアアセットと関連付けられる第２のバージョン識別子を受信するステップであって、前記第１のバージョン識別子は、前記サーバ上に記憶された前記メディアアセットの第１のバージョンと関連付けられ、前記第２のバージョン識別子は、前記サーバ上に記憶された前記メディアアセットの第２のバージョンと関連付けられる、ステップと、
前記第１のバージョン識別子および前記第２のバージョン識別子を受信するステップに応答して、前記メディアアセットを第１のセグメントおよび第２のセグメントに分割するステップと、
前記サーバに、
前記メディアアセットの前記第１のセグメントを備える、前記第１のバージョン識別子と関連付けられる前記メディアアセットの前記第１のバージョンの第１の部分と、
前記メディアアセットの前記第２のセグメントを備える、前記第２のバージョン識別子と関連付けられる前記メディアアセットの前記第２のバージョンの第２の部分と、
の要求を伝送するステップと、
前記ネットワークの前記判定された将来の非可用性に先立って、前記サーバから、前記メディアアセットの前記第１のバージョンの前記第１の部分および前記メディアアセットの前記第２のバージョンの前記第２の部分を受信するステップと、
を含む、方法。
（項目２）
前記第１のバージョンは、標準解像度品質、高解像度品質、４Ｋビデオ品質、２４０ｐビデオ品質、３２０ｐビデオ品質、４８０ｐビデオ品質、７２０ｐビデオ品質、および１０８０ｐビデオ品質のうちのいずれかを備える、項目１に記載の方法。
（項目３）
前記将来の非可用性を判定するステップはさらに、カレンダ、場所、および挙動パターンのうちの少なくとも１つを備える、ユーザプロファイルを読み出すステップを含む、項目１に記載の方法。
（項目４）
前記メディアアセットの前記第１のバージョンの前記第１の部分を前記メディアアセットの前記第２のバージョンの第３の部分と置換するステップをさらに含む、項目１に記載の方法。
（項目５）
前記第１のセグメントの第１のサイズおよび前記第２のセグメントの第２のサイズは、前記ネットワークの前記将来の非可用性に基づく、項目１に記載の方法。
（項目６）
前記分割するステップは、前記ネットワークの前記将来の非可用性および前記ネットワークの前記将来の非可用性まで残っている時間に基づく、項目１に記載の方法。
（項目７）
前記メディアアセットの前記第１のセグメントは、オープニングクレジットまたはクロージングクレジットを備える、項目１に記載の方法。
（項目８）
前記ユーザ選択は、第１のユーザ選択であり、前記メディアアセットは、第１のメディアアセットであり、
ユーザデバイスにおいて、第２のメディアアセットの第２のユーザ選択を受信するステップと、
前記ユーザデバイスの識別子に基づいて、前記第１のメディアアセットおよび前記第２のメディアアセットのダウンロード順序を判定するステップと、
さらに含む、項目１に記載の方法。
（項目９）
前記メディアアセットの前記第１のバージョンの前記第１の部分および前記メディアアセットの前記第２のバージョンの前記第２の部分と関連付けられるアイコンを表示するために生成するステップをさらに含む、項目１に記載の方法。
（項目１０）
前記ユーザ選択は、第１のユーザ選択であり、ダウンロード時間、前記メディアアセットの前記第１のバージョンと関連付けられる割合、および前記メディアアセットの所望のバージョンのうちの少なくとも１つの第２のユーザ選択を受信するステップをさらに含む、項目１に記載の方法。
（項目１１）
メディアアセットを効率的にダウンロードするためのシステムであって、前記システムは、制御回路を備え、前記制御回路は、
メディアアセットのユーザ選択を受信することと、
ネットワークの将来の非可用性を判定することと、
前記ユーザ選択を受信するステップに基づいて、サーバから、前記メディアアセットと関連付けられる第１のバージョン識別子および前記メディアアセットと関連付けられる第２のバージョン識別子を受信することであって、前記第１のバージョン識別子は、前記サーバ上に記憶された前記メディアアセットの第１のバージョンと関連付けられ、前記第２のバージョン識別子は、前記サーバ上に記憶された前記メディアアセットの第２のバージョンと関連付けられる、ことと、
前記第１のバージョン識別子および前記第２のバージョン識別子を受信するステップに応答して、前記メディアアセットを第１のセグメントおよび第２のセグメントに分割することと、
前記サーバに、
前記メディアアセットの前記第１のセグメントを備える、前記第１のバージョン識別子と関連付けられる前記メディアアセットの前記第１のバージョンの第１の部分と、
前記メディアアセットの前記第２のセグメントを備える、前記第２のバージョン識別子と関連付けられる前記メディアアセットの前記第２のバージョンの第２の部分と、
の要求を伝送することと、
前記ネットワークの前記判定された将来の非可用性に先立って、前記サーバから、前記メディアアセットの前記第１のバージョンの前記第１の部分および前記メディアアセットの前記第２のバージョンの前記第２の部分を受信することと
を行うように構成される、システム。
（項目１２）
前記第１のバージョンは、標準解像度品質、高解像度品質、４Ｋビデオ品質、２４０ｐビデオ品質、３２０ｐビデオ品質、４８０ｐビデオ品質、７２０ｐビデオ品質、および１０８０ｐビデオ品質のうちのいずれかを備える、項目１１に記載のシステム。
（項目１３）
前記将来の非可用性を判定するように構成される前記制御回路はさらに、カレンダ、場所、および挙動パターンのうちの少なくとも１つを備える、ユーザプロファイルを読み出すように構成される、項目１１に記載のシステム。
（項目１４）
前記制御回路はさらに、前記メディアアセットの前記第１のバージョンの前記第１の部分を前記メディアアセットの前記第２のバージョンの第３の部分と置換するように構成される、項目１１に記載のシステム。
（項目１５）
前記第１のセグメントの第１のサイズおよび前記第２のセグメントの第２のサイズは、前記ネットワークの前記将来の非可用性に基づく、項目１１に記載のシステム。
（項目１６）
前記分割するステップは、前記ネットワークの前記将来の非可用性および前記ネットワークの前記将来の非可用性まで残っている時間に基づく、項目１１に記載のシステム。
（項目１７）
前記メディアアセットの前記第１のセグメントは、オープニングクレジットまたはクロージングクレジットを備える、項目１１に記載のシステム。
（項目１８）
前記ユーザ選択は、第１のユーザ選択であり、前記メディアアセットは、第１のメディアアセットであり、前記制御回路はさらに、
ユーザデバイスにおいて、第２のメディアアセットの第２のユーザ選択を受信することと、
前記ユーザデバイスの識別子に基づいて、前記第１のメディアアセットおよび前記第２のメディアアセットのダウンロード順序を判定することと
を行うように構成される、項目１１に記載のシステム。
（項目１９）
前記制御回路はさらに、前記メディアアセットの前記第１のバージョンの前記第１の部分および前記メディアアセットの前記第２のバージョンの前記第２の部分と関連付けられるアイコンを表示するために生成するように構成される、項目１１に記載のシステム。
（項目２０）
前記ユーザ選択は、第１のユーザ選択であり、前記制御回路はさらに、ダウンロード時間、前記メディアアセットの前記第１のバージョンと関連付けられる割合、および前記メディアアセットの所望のバージョンのうちの少なくとも１つの第２のユーザ選択を受信するように構成される、項目１１に記載のシステム。
（項目２１）
メディアアセットを効率的にダウンロードするためのシステムであって、
メディアアセットのユーザ選択を受信するための手段と、
ネットワークの将来の非可用性を判定するための手段と、
前記ユーザ選択を受信するステップに基づいて、サーバから、前記メディアアセットと関連付けられる第１のバージョン識別子および前記メディアアセットと関連付けられる第２のバージョン識別子を受信するための手段あって、前記第１のバージョン識別子は、前記サーバ上に記憶された前記メディアアセットの第１のバージョンと関連付けられ、前記第２のバージョン識別子は、前記サーバ上に記憶された前記メディアアセットの第２のバージョンと関連付けられる、手段と、
前記第１のバージョン識別子および前記第２のバージョン識別子を受信するステップに応答して、前記メディアアセットを第１のセグメントおよび第２のセグメントに分割するための手段と、
前記サーバに、
前記メディアアセットの前記第１のセグメントを備える、前記第１のバージョン識別子と関連付けられる前記メディアアセットの前記第１のバージョンの第１の部分と、
前記メディアアセットの前記第２のセグメントを備える、前記第２のバージョン識別子と関連付けられる前記メディアアセットの前記第２のバージョンの第２の部分と、
の要求を伝送するための手段と、
前記ネットワークの前記判定された将来の非可用性に先立って、前記サーバから、前記メディアアセットの前記第１のバージョンの前記第１の部分および前記メディアアセットの前記第２のバージョンの前記第２の部分を受信するための手段と、
を備える、システム。
（項目２２）
前記第１のバージョンは、標準解像度品質、高解像度品質、４Ｋビデオ品質、２４０ｐビデオ品質、３２０ｐビデオ品質、４８０ｐビデオ品質、７２０ｐビデオ品質、および１０８０ｐビデオ品質のうちのいずれかを備える、項目２１に記載のシステム。
（項目２３）
前記将来の非可用性を判定するための前記手段はさらに、カレンダ、場所、および挙動パターンのうちの少なくとも１つを備える、ユーザプロファイルを読み出すための手段を備える、項目２１に記載のシステム。
（項目２４）
前記メディアアセットの前記第１のバージョンの前記第１の部分を前記メディアアセットの前記第２のバージョンの第３の部分と置換するための手段をさらに備える、項目２１に記載のシステム。
（項目２５）
前記第１のセグメントの第１のサイズおよび前記第２のセグメントの第２のサイズは、前記ネットワークの前記将来の非可用性に基づく、項目２１に記載のシステム。
（項目２６）
前記分割するステップは、前記ネットワークの前記将来の非可用性および前記ネットワークの前記将来の非可用性まで残っている時間に基づく、項目２１に記載のシステム。
（項目２７）
前記メディアアセットの前記第１のセグメントは、オープニングクレジットまたはクロージングクレジットを備える、項目２１に記載のシステム。
（項目２８）
前記ユーザ選択は、第１のユーザ選択であり、前記メディアアセットは、第１のメディアアセットであり、
ユーザデバイスにおいて、第２のメディアアセットの第２のユーザ選択を受信するための手段と、
前記ユーザデバイスの識別子に基づいて、前記第１のメディアアセットおよび前記第２のメディアアセットのダウンロード順序を判定するための手段と、
をさらに備える、項目２１に記載のシステム。
（項目２９）
前記メディアアセットの前記第１のバージョンの前記第１の部分および前記メディアアセットの前記第２のバージョンの前記第２の部分と関連付けられるアイコンを表示するために生成するための手段をさらに備える、項目２１に記載のシステム。
（項目３０）
前記ユーザ選択は、第１のユーザ選択であり、ダウンロード時間、前記メディアアセットの前記第１のバージョンと関連付けられる割合、および前記メディアアセットの所望のバージョンのうちの少なくとも１つの第２のユーザ選択を受信するための手段をさらに備える、項目２１に記載のシステム。
（項目３１）
メディアアセットを効率的にダウンロードするための方法であって、
メディアアセットのユーザ選択を受信するステップと、
ネットワークの将来の非可用性を判定するステップと、
前記サーバに、
前記メディアアセットの第１のバージョンの第１の部分と、
前記メディアアセットの第２のバージョンの第２の部分と、
の要求を伝送するステップと、
前記ネットワークの前記判定された将来の非可用性に先立って、前記サーバから、前記メディアアセットの前記第１のバージョンの前記第１の部分および前記メディアアセットの前記第２のバージョンの前記第２の部分を受信するステップと、
を含む、方法。
（項目３２）
前記第１のバージョンは、標準解像度品質、高解像度品質、４Ｋビデオ品質、２４０ｐビデオ品質、３２０ｐビデオ品質、４８０ｐビデオ品質、７２０ｐビデオ品質、および１０８０ｐビデオ品質のうちのいずれかを備える、項目３１に記載の方法。
（項目３３）
前記将来の非可用性を判定するステップはさらに、カレンダ、場所、および挙動パターンのうちの少なくとも１つを備える、ユーザプロファイルを読み出すステップを含む、項目３１−３２のいずれかに記載の方法。
（項目３４）
前記メディアアセットの前記第１のバージョンの前記第１の部分を前記メディアアセットの前記第２のバージョンの第３の部分と置換するステップをさらに含む、項目３１−３３のいずれかに記載の方法。
（項目３５）
前記第１の部分の第１のサイズおよび前記第２の部分の第２のサイズは、前記ネットワークの前記将来の非可用性に基づく、項目３１−３４のいずれかに記載の方法。
（項目３６）
前記ネットワークの前記将来の非可用性および前記ネットワークの前記将来の非可用性まで残っている時間に基づいて、前記メディアアセットを前記第１の部分および前記第２の部分に分割するステップをさらに含む、項目３１−３５のいずれかに記載の方法。
（項目３７）
前記メディアアセットの前記第１の部分は、オープニングクレジットまたはクロージングクレジットを備える、項目３１−３６のいずれかに記載の方法。
（項目３８）
前記ユーザ選択は、第１のユーザ選択であり、前記メディアアセットは、第１のメディアアセットであり、
ユーザデバイスにおいて、第２のメディアアセットの第２のユーザ選択を受信するステップと、
前記ユーザデバイスの識別子に基づいて、前記第１のメディアアセットおよび前記第２のメディアアセットのダウンロード順序を判定するステップと、
をさらに含む、項目３１−３７のいずれかに記載の方法。
（項目３９）
前記メディアアセットの前記第１のバージョンの前記第１の部分および前記メディアアセットの前記第２のバージョンの前記第２の部分と関連付けられるアイコンを表示するために生成するステップをさらに含む、項目３１−３８のいずれかに記載の方法。
（項目４０）
前記ユーザ選択は、第１のユーザ選択であり、ダウンロード時間、前記メディアアセットの前記第１のバージョンと関連付けられる割合、および前記メディアアセットの所望のバージョンのうちの少なくとも１つの第２のユーザ選択を受信するステップをさらに含む、項目３１−３９のいずれかに記載の方法。
（項目４１）
メディアアセットを効率的にダウンロードするための複数の命令を記憶する、非一過性のコンピュータ可読媒体であって、前記複数の命令は、
メディアアセットのユーザ選択を受信するための命令と、
ネットワークの将来の非可用性を判定するための命令と、
前記ユーザ選択を受信するステップに基づいて、サーバから、前記メディアアセットと関連付けられる第１のバージョン識別子および前記メディアアセットと関連付けられる第２のバージョン識別子を受信するための命令であって、前記第１のバージョン識別子は、前記サーバ上に記憶された前記メディアアセットの第１のバージョンと関連付けられ、前記第２のバージョン識別子は、前記サーバ上に記憶された前記メディアアセットの第２のバージョンと関連付けられる、命令と、
前記第１のバージョン識別子および前記第２のバージョン識別子を受信するステップに応答して、前記メディアアセットを第１のセグメントおよび第２のセグメントに分割するための命令と、
前記サーバに、
前記メディアアセットの前記第１のセグメントを備える、前記第１のバージョン識別子と関連付けられる前記メディアアセットの前記第１のバージョンの第１の部分と、
前記メディアアセットの前記第２のセグメントを備える、前記第２のバージョン識別子と関連付けられる前記メディアアセットの前記第２のバージョンの第２の部分と、
の要求を伝送するための命令と、
前記ネットワークの前記判定された将来の非可用性に先立って、前記サーバから、前記メディアアセットの前記第１のバージョンの前記第１の部分および前記メディアアセットの前記第２のバージョンの前記第２の部分を受信するための命令と、
を備える、非一過性のコンピュータ可読媒体。
（項目４２）
前記第１のバージョンは、標準解像度品質、高解像度品質、４Ｋビデオ品質、２４０ｐビデオ品質、３２０ｐビデオ品質、４８０ｐビデオ品質、７２０ｐビデオ品質、および１０８０ｐビデオ品質のうちのいずれかを備える、項目４１に記載の複数の命令を記憶する非一過性のコンピュータ可読媒体。
（項目４３）
前記将来の非可用性を判定するための前記命令はさらに、カレンダ、場所、および挙動パターンのうちの少なくとも１つを備える、ユーザプロファイルを読み出すための命令を備える、項目４１に記載の複数の命令を記憶する非一過性のコンピュータ可読媒体。
（項目４４）
前記メディアアセットの前記第１のバージョンの前記第１の部分を前記メディアアセットの前記第２のバージョンの第３の部分と置換するための命令をさらに備える、項目４１に記載の複数の命令を記憶する非一過性のコンピュータ可読媒体。
（項目４５）
前記第１のセグメントの第１のサイズおよび前記第２のセグメントの第２のサイズは、前記ネットワークの前記将来の非可用性に基づく、項目４１に記載の複数の命令を記憶する非一過性のコンピュータ可読媒体。
（項目４６）
前記分割するステップは、前記ネットワークの前記将来の非可用性および前記ネットワークの前記将来の非可用性まで残っている時間に基づく、項目４１に記載の複数の命令を記憶する非一過性のコンピュータ可読媒体。
（項目４７）
前記メディアアセットの前記第１のセグメントは、オープニングクレジットまたはクロージングクレジットを備える、項目４１に記載の複数の命令を記憶する非一過性のコンピュータ可読媒体。
（項目４８）
前記ユーザ選択は、第１のユーザ選択であり、前記メディアアセットは、第１のメディアアセットであり、
ユーザデバイスにおいて、第２のメディアアセットの第２のユーザ選択を受信するための命令と、
前記ユーザデバイスの識別子に基づいて、前記第１のメディアアセットおよび前記第２のメディアアセットのダウンロード順序を判定するための命令と、
をさらに備える、項目４１に記載の複数の命令を記憶する非一過性のコンピュータ可読媒体。
（項目４９）
前記メディアアセットの前記第１のバージョンの前記第１の部分および前記メディアアセットの前記第２のバージョンの前記第２の部分と関連付けられるアイコンを表示するために生成するための命令をさらに備える、項目４１に記載の複数の命令を記憶する非一過性のコンピュータ可読媒体。
（項目５０）
前記ユーザ選択は、第１のユーザ選択であり、ダウンロード時間、前記メディアアセットの前記第１のバージョンと関連付けられる割合、および前記メディアアセットの所望のバージョンのうちの少なくとも１つの第２のユーザ選択を受信するための命令をさらに備える、項目４１に記載の複数の命令を記憶する非一過性のコンピュータ可読媒体。